(57)【要約】【課題】  スイッチバックトレイの開閉動作によって各機構部品の配置精度が悪化せず、安定して原稿を搬送することができる自動原稿搬送装置の提供を目的としている。【解決手段】  本発明の自動原稿搬送装置３は、スイッチバック搬送経路２２を有するとともに、排出された原稿を載置し且つスイッチバック搬送経路２２を形成する開閉可能なスイッチバックトレイ１３，１４を備え、スイッチバックトレイ１４は、その閉時、その開閉支点１６に所定のガタ付きをもって開閉支点１６以外の部位で本体フレームに対して位置決めされる。【選択図】      図２
2005067854.tif 000002
【特許請求の範囲】
【請求項１】
スイッチバック搬送経路を有する自動原稿搬送装置において、排出された原稿を載置するとともに、前記スイッチバック搬送経路を形成する開閉可能なスイッチバックトレイを備え、前記スイッチバックトレイは、その閉時、その開閉支点以外の部位で本体フレームに対して位置決めされることを特徴とする自動原稿搬送装置。
【請求項２】
前記スイッチバックトレイは、その開閉支点に所定のガタ付きを有していることを特徴とする請求項１に記載の自動原稿搬送装置。
【請求項３】
原稿を排出する排紙ローラと、前記スイッチバック搬送経路に設けられたスイッチバックローラとを備え、前記スイッチバックトレイは、前記スイッチバックローラを加圧するスイッチバック加圧コロと、前記排紙ローラを加圧する排紙加圧コロとを備えていることを特徴とする請求項１に記載の自動原稿搬送装置。
【請求項４】
前記スイッチバック加圧コロの中心、前記スイッチバックローラの中心、前記排紙加圧コロの中心、前記排紙ローラの中心は、全て同一直線上に位置していることを特徴とする請求項３に記載の自動原稿搬送装置。
【請求項５】
前記スイッチバック加圧コロと前記スイッチバックローラとのニップ部と、前記排紙加圧コロと前記排紙ローラとのニップ部は、スイッチバックおよび排紙共に同一位置で配列されることを特徴とする請求項３に記載の自動原稿搬送装置。
【請求項６】
前記スイッチバックトレイには、排紙カバーへの突き当て部が設けられていることを特徴とする請求項３に記載の自動原稿搬送装置。
【請求項７】
前記スイッチバックトレイには、これを開閉動作するための取手が設けられていることを特徴とする請求項１に記載の自動原稿搬送装置。
【発明の詳細な説明】
【技術分野】
【０００１】
本発明は、原稿載置台に載置された原稿を順次１枚ずつ分離して給紙する自動原稿搬送装置に関する。
【背景技術】
【０００２】
一般に、原稿両面読取モードにおいて原稿を反転搬送するためのスイッチバック搬送経路を有する自動原稿搬送装置では、ジャム原稿を容易に除去するため、原稿が搬送される通紙ガイド板が開閉可能となっている（例えば、特許文献１参照）
【特許文献１】特開２００２−３４８０５２号公報
【発明の開示】
【発明が解決しようとする課題】
【０００３】
ところで、ジャム原稿を容易に除去するためにスイッチバックトレイが開閉可能となっている従来のスイッチバック搬送経路を有する自動原稿搬送装置では、スイッチバックトレイが前後に分割されるとともに、前側スイッチバックトレイが本体フレームに連結されて開閉可能となっており且つ後側スイッチバックトレイが前側スイッチバックトレイに連結されて開閉可能となっているものがある。
【０００４】
このような形態においては、スイッチバックトレイが本体フレームと正確に位置決めされる必要がある。すなわち、ローラ等が配置されたスイッチバックトレイは、その閉時において正確に位置決めされないと、ローラ配置に影響し、原稿搬送性能が低下することがある。
【０００５】
しかしながら、従来の機構では、スイッチバックトレイ開閉支点を基準にしたローラ配置であったため、正確な原稿搬送ができない場合があった。
【０００６】
本発明は前述した事情に着目してなされたものであり、その目的とするところは、スイッチバックトレイの開閉動作によって各機構部品の配置精度が悪化せず、安定して原稿を搬送することができる自動原稿搬送装置を提供することにある。
【課題を解決するための手段】
【０００７】
前記課題を解決するために、請求項１に記載された発明は、スイッチバック搬送経路を有する自動原稿搬送装置において、排出された原稿を載置するとともに、前記スイッチバック搬送経路を形成する開閉可能なスイッチバックトレイを備え、前記スイッチバックトレイは、その閉時、その開閉支点に所定のガタ付きをもって開閉支点以外の部位で本体フレームに対して位置決めされることを特徴とする。
【０００８】
請求項２に記載された発明は、請求項１に記載された発明において、前記スイッチバックトレイは、その開閉支点に所定のガタ付きを有していることを特徴とする。
【０００９】
請求項３に記載された発明は、請求項１に記載された発明において、原稿を排出する排紙ローラと、前記スイッチバック搬送経路に設けられたスイッチバックローラとを備え、前記スイッチバックトレイは、前記スイッチバックローラを加圧するスイッチバック加圧コロと、前記排紙ローラを加圧する排紙加圧コロとを備えていることを特徴とする。
【００１０】
請求項４に記載された発明は、請求項３に記載された発明において、前記スイッチバック加圧コロの中心、前記スイッチバックローラの中心、前記排紙加圧コロの中心、前記排紙ローラの中心は、全て同一直線上に位置していることを特徴とする。
【００１１】
請求項５に記載された発明は、請求項３に記載された発明において、前記スイッチバック加圧コロと前記スイッチバックローラとのニップ部と、前記排紙加圧コロと前記排紙ローラとのニップ部は、スイッチバックおよび排紙共に同一位置で配列されることを特徴とする。
【００１２】
請求項６に記載された発明は、請求項３に記載された発明において、前記スイッチバックトレイには、排紙カバーへの突き当て部が設けられていることを特徴とする。
【００１３】
請求項７に記載された発明は、請求項１に記載された発明において、前記スイッチバックトレイには、これを開閉動作するための取手が設けられていることを特徴とする。
【発明の効果】
【００１４】
請求項１に記載の発明によれば、スイッチバックトレイをその開閉支点以外の部分で位置決めするため、スイッチバックローラや排紙ローラといった機構部品の配置精度が向上し、ローラ配置精度不良によるスキューやジャムを防止することができる。したがって、安定して原稿を搬送することができる。すなわち、請求項１に記載された構成において、スイッチバックトレイの閉時の位置決めは、スイッチバックトレイの開閉支点を基準にするのではなく、開閉支点とは異なる部位（例えば開閉支点と反対側の部位）で行なわれるため、スイッチバックトレイの位置決めが正確になり、良好な原稿搬送性能を維持できる。また、スイッチバックトレイが開閉可能であるため、ジャム原稿を容易に除去することができる。
【００１５】
請求項２に記載された発明によれば、請求項１に記載された発明と同様の効果が得られるとともに、開閉支点のガタによってスイッチバックトレイの位置決めが容易となる。
【００１６】
請求項３に記載された発明によれば、請求項１に記載された発明と同様の効果が得られるとともに、スイッチバックトレイにスイッチバック加圧コロおよび排紙加圧コロが設けられているため、これらのコロ（その加圧部分）がスイッチバックトレイの閉時にクッションとして機能する。そのため、スイッチバックトレイの開動作で誤って自重落下しても、スイッチバック搬送経路が破損することを回避できる。
【００１７】
請求項４に記載された発明によれば、請求項３に記載された発明と同様の効果が得られるとともに、スイッチバック加圧コロ、スイッチバックローラ、排紙加圧コロ、排紙ローラの各中心が同一直線上に配置されることにより、各加圧力によるスイッチバックトレイの変形を防止することができる。そのため、軽量で安価なスイッチバックトレイを作ることができる。
【００１８】
請求項５に記載された発明によれば、請求項３に記載された発明と同様の効果が得られるとともに、スイッチバックニップおよび排紙ニップが同一位置で配置されることにより、各ローラの加圧力によるスイッチバックトレイの変形を防止することができる。そのため、軽量で安価なスイッチバックトレイを作ることができる。
【００１９】
請求項６に記載された発明によれば、請求項３に記載された発明と同様の効果が得られるとともに、排紙カバーへの突き当て部がスイッチバックトレイに設けられているため、原稿搬送時の振動によるスイッチバックトレイの揺れを防止でき、安定して原稿を搬送することができる。
【００２０】
請求項７に記載された発明によれば、請求項１に記載された発明と同様の作用効果が得られるとともに、取手を用いてスイッチバックトレイを開閉することにより、ジャム原稿を容易に除去することができる。
【発明を実施するための最良の形態】
【００２１】
以下、図面を参照しながら本発明の一実施形態について説明する。図１は本発明を適用した自動原稿搬送装置の全体構成図であり、図２および図３は排紙機構詳細図である。  図１および図２において、複写機、ファクシミリ装置、スキャナ装置等の画像読取装置１には、その上面に原稿セット面であるコンタクトガラス２が設けられている。また、画像読取装置１の内部には、図示しない画像読取用の光学系が内蔵されている。なお、原稿セット面であるコンタクトガラス２は透明なガラス材等で形成されている。
【００２２】
このような画像読取装置１の上面には、原稿搬送装置３が設置されている。原稿搬送装置３は、主に、分離機構４と、搬送機構５と、排紙機構６とから構成されており、原稿テーブル７にセットされた原稿は、分離機構４を通り、搬送機構５へと搬送される。
【００２３】
搬送機構５は、駆動ローラ８と従動ローラ９とに巻き付けられた搬送ベルト１０から構成され、駆動ローラ８と従動ローラ９との間には、搬送ベルト１０をコンタクトガラス２へ押圧するための加圧コロ１１が配置されている。また、駆動ローラ８には、図示しない駆動モータが連結されている。
【００２４】
このような構成において、原稿は、図示しない制御手段によって搬送ベルト１０にて原稿セット面であるコンタクトガラス２の基準スケール１２の位置に搬送され、その後、画像読取装置１にて画像が読み取られ、排紙入口搬送路１７へ搬送された後、反転駆動ローラ１８および対向する反転従動コロ１９、スイッチバックローラ２０および対向するスイッチバック加圧コロ２１により、スイッチバック搬送路２２へ搬送される。
【００２５】
その後、原稿は、その後端がスイッチバックローラ２０を通過する前に、スイッチバックローラ２０の逆回転により、排紙出口搬送路２３へと搬送され、排紙ローラ２４および対向する排紙加圧コロ２５により排紙出口２６へ搬送された後、後側スイッチバックトレイ１４および前側スイッチバックトレイ１３に排紙される。
【００２６】
前側スイッチバックトレイ１３は、本体フレーム支点１５によって、図示しない本体フレームに固定され、本体フレーム支点１５を中心に開閉し、更に、後側スイッチバックトレイ１４は、スイッチバックトレイ支点１６で前側スイッチバックトレイ１３と連結しており、スイッチバックトレイ支点（開閉支点）１６を中心に開閉可能な構成になっている。
【００２７】
また、スイッチバックトレイ支点１６は長穴形状をしており、これにより、前側スイッチバックトレイ１３と後側スイッチバックトレイ１４とにガタが発生する構成になっている。後側スイッチバックトレイ１４にはスイッチバック加圧コロ２１および排紙加圧コロ２５が設けられており、それぞれのコロ２１，２５は、スイッチバック加圧スプリング２７および排紙コロ加圧スプリング２８によって加圧力を得ている。
【００２８】
また、後側スイッチバックトレイ１４にはU溝形状部（突き当て部）２９が設けられており、このU溝形状部２９は、図示しない本体フレームに取り付けられた位置決めピン３０と嵌合する構成になっている。更に、後側スイッチバックトレイ１４には受台形状３１が設けられており、この受台形状３１は、後側スイッチバックトレイ１４が閉じられた際に、排紙カバー３２の凸形状３３により押し下げられるようになっている。また、排紙カバー３２は、排紙カバー支点３４を中心に開閉可能な構成になっている。
【００２９】
なお、後側スイッチバックトレイ１４には、取手３５があり、取手３５を持つことによりジャム原稿を容易に除去することができる。また、スイッチバック加圧コロ２１の中心、スイッチバックローラ２０の中心、排紙加圧コロ２５の中心、排紙ローラ２４の中心は、全て同一直線上に位置している。また、スイッチバック加圧コロ２１とスイッチバックローラ２０とのニップ部と、排紙加圧コロ２５と排紙ローラ２４とのニップ部は、スイッチバックおよび排紙共に同一位置で配列されている。
【００３０】
以上説明したように、本実施形態の自動原稿搬送装置３において、開閉可能なスイッチバックトレイ１４（１３）は、その閉時、その開閉支点１６に所定のガタ付きをもって開閉支点１６以外の部位で本体フレームに対して位置決めされる。そのため、スイッチバックローラ２０や排紙ローラ２４といった機構部品の配置精度が向上し、ローラ配置精度不良によるスキューやジャムを防止することができる。したがって、安定して原稿を搬送することができる。
【００３１】
また、本実施形態の自動原稿搬送装置３において、スイッチバックトレイ１４（１３）は、その開閉支点１６に所定のガタ付きを有している。そのため、スイッチバックトレイ１３，１４の位置決めが容易となる。
【００３２】
また、本実施形態の自動原稿搬送装置３において、スイッチバックトレイ１４は、スイッチバックローラ２０を加圧するスイッチバック加圧コロ２１と、排紙ローラ２４を加圧する排紙加圧コロ２５とを備えている。そのため、これらのコロ（その加圧部分）２１，２５がスイッチバックトレイ１４の閉時にクッションとして機能する。そのため、スイッチバックトレイ１４の開動作で誤って自重落下しても、スイッチバック搬送経路２２が破損することを回避できる。
【００３３】
また、本実施形態の自動原稿搬送装置３において、スイッチバック加圧コロ２１の中心、スイッチバックローラ２０の中心、排紙加圧コロ２５の中心、排紙ローラ２４の中心は、全て同一直線上に位置している。そのため、各加圧力によるスイッチバックトレイ１４の変形を防止することができる。その結果、軽量で安価なスイッチバックトレイ１４を作ることができる。
【００３４】
また、本実施形態の自動原稿搬送装置３において、スイッチバック加圧コロ２１とスイッチバックローラ２０とのニップ部と、排紙加圧コロ２５と排紙ローラ２４とのニップ部は、スイッチバックおよび排紙共に同一位置で配列されている。そのため、各ローラの加圧力によるスイッチバックトレイの変形を防止することができる。その結果、軽量で安価なスイッチバックトレイを作ることができる。
【００３５】
また、本実施形態の自動原稿搬送装置３において、スイッチバックトレイ１４には、排紙カバー３２への突き当て部２９が設けられている。そのため、原稿搬送時の振動によるスイッチバックトレイの揺れを防止でき、安定して原稿を搬送することができる。
【図面の簡単な説明】
【００３６】
【図１】本発明の一実施形態に係る自動原稿搬送装置の概略図である。
【図２】図１の自動原稿搬送装置の要部構成図（閉時）である。
【図３】図１の自動原稿搬送装置の要部構成図（開時）である。
【符号の説明】
【００３７】
３    自動原稿搬送装置
１３，１４    スイッチバックトレイ
１６    スイッチバックトレイ支点（開閉支点）
２０    スイッチバックローラ
２１    スイッチバック加圧コロ
２２    スイッチバック搬送経路
２４    排紙ローラ
２５    排紙加圧コロ
２９    Ｕ溝形状部（突き当て部）
３５    取手
【図１】
2005067854.tif 000003
【図２】
2005067854.tif 000004
【図３】
2005067854.tif 000005